(57)【特許請求の範囲】
【請求項１】
互いに接続される複数のベースによって構成されるエンドレスベルト本体と、
前記ベースに支持され、エンドレスベルト本体の長手方向に沿って離間した位置に配置され、前記ベースに対して垂直に上昇すると共に製品を支える複数の計量プラットフォームと、を備える重量選別機ベルトであって、
ここで、該計量プラットフォームは、スラットであり、該スラットは、エンドレスベルト本体の幅にあうようにのびる細長い形状であり、
ここで、計量プラットフォームはベルト本体上の第１の位置から、ベルト本体から離れた第２の位置まで移動可能であり、
ここで、各スラットは、ベースの周りでベルトの側端部から下方に伸びるエプロン、およびスラットの持ち上げを制限するためにベースの底部と接触するストッパを形成するエプロンの底部にある水平タブを含む、
重量選別機ベルト。
【請求項２】
前記計量プラットフォームが、横方向に静止している、請求項１に記載の重量選別機ベルト。
【請求項３】
前記計量プラットフォームが、横方向に転向可能である、請求項１に記載の重量選別機ベルト。
【請求項４】
前記計量プラットフォームが、前記エンドレスベルト本体の下まで広がっており、計量はかりと接触する、突出部を含む、請求項１に記載の重量選別機ベルト。
【請求項５】
前記計量プラットフォームは、前記計量プラットフォームが、前記第2の位置を越えて移動するのを停止させるための停止部をさらに含む、請求項1に記載の重量選別機ベルト。
【請求項６】
前記計量プラットフォーム上の製品を、エンドレスベルト本体を横切って転向させるための製品押し出し機をさらに備える、請求項1に記載の重量選別機ベルト。
【請求項７】
互いに接続される複数のベースによって構成され、ベルトが搬送路に沿って移動する方向に前進し、ベルト張力を担うエンドレスベルト本体であって、ここでエンドレスベルト本体は、第１の側端部から反対側の第２の側端部までベルト本体の幅に沿って広がる外面を有する、エンドレスベルト本体と、
前記ベースに支持され、ベルトの走行方向にベルト本体の長手方向に沿って間隔を置いて配置された複数の製品サポートスラットと、を含む重量選別機ベルトであって、
ここで、各スラットはベルト本体の幅にあうように細長い形状であり、
ここで、スラットの各々は、ベルト本体の外面に着座する第１の位置から、ベルト本体の外面に垂直な方向にベルト本体の外面から離間した第２の位置まで移動可能であり、
ここで、各スラットは、ベースの周りでベルトの側端部から下方に伸びるエプロン、およびスラットの持ち上げを制限するためにベースの底部と接触するストッパを形成するエプロンの底部にある水平タブを含む、
重量選別機ベルト。
【請求項８】
前記エンドレスベルト本体は、蝶番接続で一緒に接続された一連のコンベヤベルトモジュールベースを備える、請求項７に記載の重量選別機ベルト。
【請求項９】
前記スラットは、前記エンドレスベルト本体の下に伸長する突出部を含む、請求項７に記載の重量選別機ベルト。
【請求項１０】
前記エンドレスベルト本体は、前記ベルト本体の幅に沿って前記ベルト本体を通過して広がる複数のスロットを含み、前記スラットの前記突出部は、前記スロットを通って伸長する、請求項９に記載の重量選別機ベルト。
【請求項１１】
前記スラットは、前記スロットに沿って前記ベルト本体の幅を横切って平行移動可能である請求項９に記載の重量選別機ベルト。
【請求項１２】
前記スラットは、前記エンドレスベルト本体を通る前記スロットと位置合わせされたスロットを含み、前記重量選別機ベルトは、前記位置合わせされたスロットを通って広がり、前記位置合わせされたスロットに沿って平行移動可能な製品押し出し機をさらに含む、請求項９に記載の重量選別機ベルト。
【請求項１３】
前記スラットは、前記ベルト本体の全幅にわたって広がり、前記突出部は、前記ベルト本体の前記第１および第２の側端の外側に前記スラットから伸長する、請求項７に記載の重量選別機ベルト。
【請求項１４】
キャリーウェイと、
ベルトの進行方向に搬送路に沿って前進する重量選別機ベルトと、
計量はかりと、を含む転向可能重量選別機であって：
該重量選別機ベルトは、
張力を担持するエンドレスベルト本体であって、互いに接続される複数のベースによって構成され、第１の側から反対側の第２の側へ、重量選別機ベルトの幅に沿って広がる、上面と反対側の底部とを有する、エンドレスベルト本体と、
前記ベースに支持され、ベルトの進行方向に重量選別機ベルトの長手方向に沿って間隔を置いて配置された複数の製品サポートスラットであって、該スラットの各々は、重量選別機ベルトの幅にあうように細長い形状であり、エンドレスベルト本体の底部の下に伸長する1つ以上の突出部を有する、スラットと、を含み、
ここで、各スラットは、ベースの周りでベルトの側端部から下方に伸びるエプロン、およびスラットの持ち上げを制限するためにベースの底部と接触するストッパを形成するエプロンの底部にある水平タブを含み、
該計量はかりは、搬送路内のエンドレスベルト本体の底部の下に設置され、前進する重量選別機ベルトが通過する際に突出部と接触するように配置された計量プレートを有し、該接触によりベルト本体の上面に位置する下降位置からベルト本体の上面から離間した上昇位置までスラットを持ち上げ、その結果、上昇したスラット上に支持された製品の重量が計量プレートに負荷され、計量はかりによって測定される、
転向可能重量選別機。
【請求項１５】
前記エンドレスベルト本体は、ヒンジジョイントで一緒に接続された一連のコンベヤベルトモジュールベースを備える、請求項１４に記載の転向可能重量選別機。
【請求項１６】
前記エンドレスベルト本体は、前記重量選別機ベルトの長手方向に沿って離間した位置で前記重量選別機ベルトの幅に沿って通過して広がるスロットを含み、前記スラットの前記突出部は、前記スロットを通して伸長する、請求項１４に記載の転向可能重量選別機。
【請求項１７】
前記スラットは、前記スロットに沿って前記重量選別機ベルトの幅を横切って平行移動可能であり、前記転向可能重量選別機は、前記重量選別機ベルトの幅を横切って前記スラットを選択的に案内するために、または、前記スラットが転向なしに転向スイッチを通過することを可能にするために、前記突出部に接触するための前記キャリーウェイに転向スイッチをさらに備える、請求項１６に記載の転向可能重量選別機。
【請求項１８】
所定数の連続したスラットが、製品ゾーンを決定し、転向スイッチが製品ゾーンを決定する全ての連続したスラットを転向するか、又は、製品ゾーンを決定する全ての連続したスラットが転向なしに転向スイッチを通過することを可能にする、請求項１７に記載の転向可能重量選別機。
【請求項１９】
前記スラットの上のパッケージが、前記計量はかりによって平行に計量されることができるように、前記重量選別機ベルトの幅を横切って異なる平行レーンで前記重量選別機ベルトの下に設置された計量プレートを有する複数の計量はかりを備える、請求項１７に記載の転向可能重量選別機。
【請求項２０】
前記スラットは、前記エンドレスベルト本体を通る前記スロットと整列されたスロットを含み、前記重量選別機ベルトは、前記整列されたスロットを通って広がり、前記底部の下に伸長するカムフォロアを有する製品押し出し機をさらに含み、前記転向可能重量選別機は、前記カムフォロアに接触して、前記製品押し出し機を、前記重量選別機ベルトの幅を横切って選択的に案内して、製品を転向する、転向スイッチを前記キャリーウェイにさらに含む、請求項１６に記載の転向可能重量選別機。
【請求項２１】
前記エンドレスベルト本体は、前記重量選別機ベルトの長手方向に沿って間隔を置いて配置され、前記重量選別機ベルトの幅に合わせて通過して広がるスロットを含み、前記転向可能重量選別機は、複数の製品押し出し機をさらに含み、前記製品押し出し機および前記スラットの突出部は、前記重量選別機ベルトの長手方向に沿った交互の位置で前記スロットを通って伸長する、請求項１４に記載の転向可能重量選別機。
【請求項２２】
前記転向可能重量選別機は、複数の製品押し出し機及び
前記計量はかりによって測定された製品の重量に応じて、前記スラットを前記重量選別機ベルトの幅を横切って選択的に案内するか、又は前記スラットが転向なしに前記転向スイッチを通過することを可能にするように、前記製品押し出し機に接触するために、前記計量はかりの下流の前記搬送路に、転向スイッチをさらに備える、請求項１４に記載の転向可能重量選別機。
【請求項２３】
製品押し出し機が、製品の重量の関数として、製品を転向する、計量プレートの下流の重量選別機ベルトの、第1および第2のサイドの少なくとも一に沿って、1つまたは複数のコンベヤをさらに備える、請求項２２に記載の転向可能重量選別機。
【発明の詳細な説明】
【技術分野】
【０００１】
本発明は、一般的に、コンベヤベルト式重量選別機及び製品の転向に関する。
【背景技術】
【０００２】
多くの生産ラインでは、搬送された製品が重量選別機によって計量され、重量は、製品の品質または均一性を、等級付け、バッチ、ラベル、価格、または検査するために使用される。重量選別機は、典型的には、製品を「インライン」で、場合によっては「動いて」、すなわち製品の流れを止めることなく計量することができるように、コンベヤ・ラインに配置される。従来の重量選別機は、重量測定を行いながらベルト及びベルト上の搬送される製品を、自由に、保持する計量テーブルの上を走行する短い長さのコンベヤベルトを備えていた。多くの場合、製品は、連続する製品間の隙間を縮めるために製品を加速させるギャッピングコンベヤによって、重量選別機上におかれる。その方法では１つの製品のみしか一度に重量選別機のはかり上にない。いったん重量測定されると、製品の重量に基づいて、不合格品、グレードやその他の選別と言った転向コンベヤへの適切な分配のため製品は移動する。一般の転向は、適切な目的場所に製品の流れを変えるために、空気圧の押し出しアーム、パドルアーム、空気圧、傾斜コンベヤを使用する。
【０００３】
記載されているような従来のシステムの問題の1つは、連続するコンベヤ要素間の間隙を横切る4つの製品移送、すなわち、（１）ギャッピングベルトへの転送、（２）ギャッピングベルトから重量選別機ベルトへの転送、（３）重量選別機ベルトから転向コンベヤへの転送、そして（４）下流の処理への転向コンベヤからの転送である。これらの転送のどれもが、生産ラインの上でその方向を変え、おそらく混雑を起こさせる原因となる製品の衝突を引き起こす。もし方向が重要であるなら（それはしばしばそうであるが）、衝突さえもいとわずに、製品はその元の方向に戻って「洗練され」なければならない。さらに、パドルや押し出しアームが製品ラベルを損なうこともある。
【発明の概要】
【０００４】
本発明の特徴を具現化する重量選別機ベルトの1つのバージョンは、エンドレスベルト本体と、エンドレスベルト本体の長手方向に沿って離間した位置に配置された複数の、垂直方向において固定されていない、製品を支える計量プラットフォームとを備える。計量プラットフォームは、ベルト本体上にある第1の位置からベルト本体から離間した第2の位置まで移動可能である。
【０００５】
本発明の特徴を具現化する重量選別機ベルトの別のバージョンは、搬送路に沿ってベルト進行方向に前進するエンドレスベルト本体を備える。該エンドレスベルト本体はベルト張力を担持し、第1の側端部から反対側の第2の側端部までその幅に沿って広がる外面を有する。製品サポートスラットは、ベルト走行方向にベルト本体の長手方向に沿って間隔を置いて配置されている。各スラットはベルト本体の幅に沿って細長く、ベルト本体の外面上にある第1の位置から、ベルト本体の外面に垂直な方向にベルト本体の外面から離間した第2の位置まで移動可能である。
【０００６】
別の態様では、本発明の特徴を具現化する転向可能重量選別機が、搬送路と、搬送路に沿ってベルト進行方向に前進する重量選別機ベルトとを備える。重量選別機ベルトはベルト張力を支持し、重量選別機ベルトの幅に沿って第1の側から反対側の第2の側に延びる上面および反対側の底部を有するエンドレスベルト本体を含む。製品サポートスラットは、重量選別機ベルトの長手方向に沿って、ベルトの進行方向に間隔を置いて配置されている。スラットの各々は、重量選別機ベルトの幅に沿って細長く、エンドレスベルト本体の底部の下に伸長する1つ以上の突出部を含む。計量プレートを有する計量はかりが、搬送路内のエンドレスベルト本体の底部の下に設置される。計量プレートは、前進する重量選別機ベルトが通過する際に該突出部と接触するように配置され、ベルト本体の上面である下降位置からベルト本体の上面から離間した上昇位置までスラットを持ち上げ、その結果、持ち上げられたスラット上に支持された製品の重量が計量プレートによって負荷され、計量はかりによって測定される。
【図面の簡単な説明】
【０００７】
【図１】図１Aと１Bは、発明の特徴を具体化した転向可能重量選別機の１つのバージョンの部分的断面等角投影図と平面図である。
【図２】図２Aと２Bは、図１Aの転向可能重量選別機で使用可能な計量はかりの不等角投影図および側面図である。
【図３】図３は、図１Aの転向可能重量選別機のコンベヤベルトの部分的等角投影図である。
【図４】図４Aと４Bは、図３のコンベヤベルトのベルトモジュールの１つの不等角投影図と展開図である。
【図５】図５は、計量はかり上の、図３のコンベヤベルトの断面図である。
【図６】図６Aと６Bは、計量はかり上の及び離れた、図３のコンベヤベルトの１端の拡大断面図である。
【図７】図7は、図4Aに示すようなベルトモジュールの別のバージョンの不等角投影図であるが、転向ペグを有していない。
【図８】図8は、計量はかり上の、図7に示すようなモジュールによるコンベヤベルトの断面図である。
【図９】図9は、ベルト列からベルト列への転向ペグモジュールをもつ、図7のようなモジュールで構成されたコンベヤベルトの等角投影図である。
【図１０】図10は、計量はかり上の、図9のコンベヤベルトの一部の側面立面図である。
【図１１】図11は、不合格品を不合格品コンベヤに転向する、図9のようなコンベヤベルトで構成された転向可能重量選別機の等角投影図である。
【図１２】第12図は、図1Aのような転向可能重量選別機に使用できるベルトモジュールの別のバージョンの展開図である。
【図１３】図13は、図12のベルトモジュールの底面等角投影図である。
【図１４】図14Aおよび14Bは、製品サポートスラットが、その標準位置に下げられたときと、計量はかりを通過したときに上昇したときの、図12のベルトモジュールの不等角投影図である。
【図１５】図15は、図12のモジュールで作られたコンベヤベルトを有する転向可能重量選別機の一部の側面立面図である。
【図１６】図16は、較正スキームを示す、図15の重量選別機の斜視図である。
【図１７】図17A〜17Cは、不合格品の計量および転向の流れを示す、図16の転向重量選別機の平面図である。
【図１８】図18は、図12のベルトモジュールを使用するが、モジュールの幅を横切って広がるスラットスロットを有する、２重レーン転向可能重量選別機の平面図である。
【図１９】図19は、ベルトモジュールの幅を横切って広がる、図12のようなペグおよびスラットを有するベルトモジュールを使用する単一レーン転向可能重量選別機の一部の平面図である。
【図２０】図20は、完全な転向可能重量選別機の構成における図19の単一レーン重量選別機の平面図である。
【図２１】図21は、転向スラットを含む本発明の特徴を具体化する転向可能重量選別機の出口部分の部分的断面等角投影図である。
【図２２】図22は、図21のような転向スラットの正面図である。
【図２３】図23は、計量はかりにおける図21の重量選別機の側面立面図である。
【図２４】図２４Aから２４Dは、不合格品コンベヤシステムでの図２１のような重量選別機の平面図である。
【図２５】図２５は、ペグソーターにつながる、図２１の重量選別機の平面図である。
【発明を実施するための形態】
【０００８】
本発明の特徴を具現化する転向可能重量選別機の1つのバージョンを図1Aおよび図1Bに示す。重量選別機30は、エンドレスコンベヤベルト32と、フレーム36に支持された計量テーブル又ははかり34とを備えている。コンベヤベルト32は、ドライブおよびアイドルスプロケットとシャフト38、39をキャリーウェイの対端で作動する。駆動シャフト38に連結された駆動モータ40は、ベルト32をベルト進行方向42に駆動する。計量はかり34はコンベヤベルトの下に位置し、搬送路の一部に、計量ゾーン43を決定する。ベルト32は、ヒンジジョイント45で互いに連結されてエンドレスベルトになっている一連のベルトモジュール44から構成されている。計量ゾーン43内のベルト上の製品は、はかり34によって計量される。コンベヤベルト32は、ベルトモジュール44の幅にそって広がるスロット48にペグ46の形態の製品押し出し機を有する。はかり34の下流の運搬路にあるペグ転向スイッチが、ペグ46がそれらの位置に留まるか、又はそれらのスロット48に沿ってスライドして製品を脇に転向することを可能にする。例えば、該スイッチは、重すぎる又は軽すぎる製品を転向させるように設定することができる。コントローラ52はディスプレイ54に製品重量を表示し、測定された重量の関数として転向スイッチ50の動作を制御する。コントローラ52はまた、ベルトの駆動モータ40の始動、停止、及び速度を制御することができる。
【０００９】
計量はかり34は、図2Aおよび図2Bにより詳細に示されている。はかりは、計量機器要素を収容する下部筐体56と、コントローラに重量信号を送るための電子機器とを有する。計量プレート58は、プレート上の重量をはかりに伝達する1つ以上の脚60に接続される。計量プレート58の２つの末端62は下方に傾き、ベルトを段階的に、はかり34の上およびオフに誘導するランプを形成する。
【００１０】
図3は、転向ベルト32をより詳細に示し、図4Aおよび4Bは、ベルトを構築するために使用されるベルトモジュール44をさらに詳細に示す。ベルト32を構成するために使用されるベルトモジュール44は、ベース64と、スラット66と、ペグ46とを備えている。スラット66を支持するモジュールベース64は、ベルト32の幅に沿って第1の側端65から反対側の第2の側端67まで広がる平坦な外面63を有する。ベース64の底部は、ベルト32の底部を決定する。スラット66の幅に沿って広がるスロット48は、ベース64のスロット68と垂直に一列に並んでいる。押し出しペグ46は、モジュール44の幅に沿って一列に並ぶスロット48、68に受け入れられる。ペグ46は、スラット66の上方でベルト32上を搬送される製品を押すために、トッププッシャー部分70を有する。ペグ46は、スロット48、68からベース64の底部を越えて延びる底部カム従動子72を有する。ペグ46はまた、スラット66をベース64に保持するリテーナとしても機能する。ベース64は、また、両端部に沿って、隣接するモジュールのちょうつがいエレメントと交互に配置される、ちょうつがいエレメント76を有する。交互に配置されたベース64は、全てのベルト張力を支えるエンドレスベルト本体を形成する。交互配置されたちょうつがいエレメントは、ちょうつがいピン78によって連結されて、連続するモジュール44間にちょうつがい継手を形成する。
【００１１】
また、図5に示すように、スラット66は、ベース64の側面を越えて広がっている。スラット66の側部のエプロン80は、ベース64の周りでベルトの側端部から下方に伸びている。位置決めボス82は、スラット66からベース64の位置決めスロット84内において下方に延び、ベースとスラットとを正確に整合させる。スキッド86の形態の突出部は、モジュールベース64の両側及び底部より下に、スラット66から下方に伸びている。図5に示すように、また図6Aおよび6Bにも示すように、スキッド86は、計量はかりの計量プレート58上に乗っている。計量プレート58のレベルは、運搬路においてベース64を支えるウェアストリップのレベルに対して十分に高く、スキッド86がベース64のトップ外面からスラット66を持ち上げることができ、その結果、スキッドが、スラット上の製品の重量を全て担持し、それを計量はかりに移し、重量測定を行う。突出部86は、スキッドよりも少ない摩擦で計量プレート58に沿って転がるローラを含むことができる。図6Aは、スキッド86が、計量はかりに乗っていないので、下降位置にあるスラット66がモジュールベース64の上部に載っているベルトモジュール44を示す。図6Bでは、スキッド86が計量プレート58に乗っており、スラット66をベース64の上方の上昇位置まで持ち上げている。エプロン80の底部にある水平タブ69は、ベース64の底部と接触してスラット66の持ち上げを制限し、スラットをペグ46と共にベースに保持するリテーナとして働くストッパを形成する。したがって、スラット66は、ベルトの重量を製品の重量から分離するために、限られた範囲で、ベース64の上方に垂直に上昇することができる。
【００１２】
図7は、スラット90がペグ用のスロット48を有していないことを除いて、図4Bと同様の、ベルトモジュール88を示している。モジュールベース92は、図4Bに示されるベース64におけるように、スロット68を有していても、有していなくてもよい。他のすべての点で、図7のモジュールは図4Bのモジュールと同一である。スロットレススラット90は、突出部86が計量プレート58上に載った状態の上昇位置で示されている。コンベヤベルト94は、図7、９に示すように、転向ペグモジュール96と交互に配置されたモジュール88を用いて構成されている。したがって、スラットを有するモジュール88は、計量モジュールであり、ペグモジュール96は転向モジュールである。2つのモジュールのベースは同様であり、モジュール88、96を一体にヒンジ連結して重量選別機-転向ベルト94を形成する、交互に配置されたちょうつがいエレメントを備えている（図９）。
【００１３】
図10は、計量はかり34上の計量モジュール88と転向モジュール96とが交互に配置されて構成された図9のコンベヤベルト94を示している。ベルト94がベルト走行42の方向に前進すると、スキッド86は、はかりの計量プレート58の入口傾斜路62にあたる。スキッド86は傾斜路62を上昇し、プレート58の水平部分98上に乗る。そうする際に、スキッドは、搬送された製品を計量するためにスラット66をその上昇位置まで上昇させる。ペグのカム72の底部は、スラット66の上昇位置及び下降位置の両方において、スキッド86の底部の高さより上にある。図9及び図10のベルトは、図11の転向コンベヤシステムに示されている。計量はかり34の下流には、排出コンベヤ100が、製品、例えば、トレイ102にある製品、を受け取るように配置されており、この製品は、ベルト進行方向42に前進するベルト94のサイドから転向されるか、または選別される。計量ゾーン43の直後のベルトの下の転向スイッチ50は、計量はかり34によって測定されるトレイの重量に応じて、トレイをベルトから排出コンベヤ100に選択的に転向する。もちろん、1つ以上の排出コンベヤを、重量による等級分けのような仕分け適応において、コンベヤベルト94の長手方向に沿って配置することができる。また、図1のベルト32は、図11のコンベヤ構成のベルト94の代わりに使用することができる。
【００１４】
転向可能重量選別機に使用可能なモジュール104の別のバージョンが図12に示されている。モジュール104は、モジュールの幅の一部を横切って広がるスロット108を有するモジュールベース106を含む。モジュールベース106の他方のスロットレス部分は、一対の隆起した横方向に延びるリブ109を有する。リブ109は、スラット下降時にスラット112の頂部とほぼ同じ高さである、ベース106から上方に伸長する。該スロットは、スロット114を有するスラット112から垂下する脚110の形態の突出部を収容する。脚110の狭い上部116は、モジュールベースのスロット108に乗る。脚110の狭い部分116は、ベース106のスロット108の厚さよりも高く、その結果、スラット112は、ベースに対して、垂直に移動または上昇するいくらかの自由度を有する。ペグ46は、スラットのスロット114及びそれと一列に整列されたベーススロット108に乗り、搬送された製品を転向する。計量はかりに遭遇しないとき、スラットの脚110は、図13に示すように、スロット108を通ってベース106の底部の下の最下位置まで伸びる長さをもつ。ペグ46は、また、ベースの底部の下にまで、そのカム従動子72と共に、ベース106の同じスロット108を通って伸びる。図14Aは、図13のような下降位置にあるスラット112を示し、図14Bは、計量中の上昇位置にあるスラット112を示す。図15は、計量はかり34上で計量中の、モジュール104(図12)で作られたベルト113のスラット112の上昇を示す。スラット112が持ち上げられている間、ベースモジュール106は、運搬経路に沿って所定の位置に留まることに留意されたい。そして、ペグ46は持ち上げられていない。脚110と同様に、ペグ46は、スラット112が計量プレート58と接触する僅かな上昇に適応する細長く高い高さの狭い部分(118、図12)を有する。図15の矢印120は、計量はかり34に遭遇したときにスラット112及びトレイ102が受ける僅かな上昇を示す。脚110の底部は、計量プレート58へのより円滑な進入のために丸められて示されている。代替的に、該底部は面取りされてもよい。
【００１５】
図16に示すように、モジュール104のうちの1つ以上は、位置センサ124によって検出することができる、可視インジケータ、磁気素子、または誘導ループなどのユニークな識別子122を含むことができる。ベルトスピードを決定するためのエンコーダーまたは他の手段を用いて、積載されていないスラットの各々を計量し、はかり34を較正することができる。あるいは、視覚化システムを使用することができる。このような較正は、スラットの摩耗、温度、または他の原因による変化を考慮して定期的に実行することができる。
図15のようなベルト113を使用する不合格品コンベヤが、図17A〜17Cに示されている。コンベヤベルト113は、全てのトレイ102がスラット112上に載った状態で、ベルト走行方向42に前進している。ペグ46は、計量ゾーン43に入るときにスロット114の外側端部にある。トレイ102'の重量が許容されるよりも小さいか又は大きい場合には、ベルト113の下の転向スイッチ50が、ペグ46をベルトを横切って誘導する。転向ペグ46が、図17A〜17Cのシーケンスによって示されるように、排除されたトレイ102をベルト113のスロットレス側に押す。一方、標準である計量トレイ102は、ベルト113の他方の側には転向されない。スイッチ50が、ペグ46がそれらの待機位置に留まることを可能にし、トレイ102がスラット112の上に留まることを可能にする。図17Cに示すように、排除されたトレイ102'は、排除レーン124でベルト113を出るが、受入れられたトレイは受入れレーン126でベルト113を出る。したがって、本発明の重量選別機は、1対2スイッチ拒否コンベヤとして機能する。このバージョンでは、または転向可能なスラットを有する他の重量選別機バージョンでは、製品は、いくつかのスラット112にまたがることができるので、センサ(図示せず)を使用して、各トレイがいくつのスラットにまたがるかを決定することができる。センサはまた、空のスラット112を検出することができる。センサデータは、例えば、荷下ろしされたスラット112を計量ゾーン43から離れるように、又は乗せられたスラットを計量ゾーンに、転向するために、使用することができる。
【００１６】
図17A〜17Cのコンベヤベルト113は、図18に修飾されて示されている。この例では、モジュールベース130のスロット128が、ベルト132の幅の大部分を横切って広がる。図17A〜17Cのベルト113の横方向に静止したスラット112とは異なり、図18のベルト132のスラット134は、ベルトの幅に沿って選択的に転向可能である。各転向可能なスラット134に関連するペグ46は、前述のようにスイッチによって独立して転向される。これらの特徴により、ベルト132は、２重レーン転向可能重量選別機として特に有用になる。スラット134は、コンベヤベルト132がベルト走行方向42に前進するにつれて、ベルト132の中心またはその近くでコンベヤの入口端136の搬送路に戻り、トレイ102を受け取る。スラットスイッチ位置138における搬送路内のベルト132の下の交互スイッチ(図示せず)は、連続するスラットの1つのセット140をベルトの第1の側に案内し、次のセット141を反対側の第2の側に案内する。各組140、141は、計量ゾーンの長さ以下である製品ゾーンを決定する所定数の連続したスラット134を含む。位置センサまたは視覚化システムが使用される場合、製品ゾーンは、製品の長さに応じて長さが可変であり得る。計量は、ベルトの各側の下にある計量はかりによって形成された計量ゾーン43で行われる。連続するスラット134のセット140、141の各々は、計量ゾーン43と長さが等しい。トレイ102は、処理量を増加させるために、2つの平行なレーンで計量される。計量ゾーン43を通過すると、スラット140のセット140、141は、スイッチによって片側に戻すことができる。そして、ペグ46は、トレイ102をベルト132の同じ側から排出コンベヤ142に選択的に転向させるために使用することができる。あるいはスラット140、141の組は、それらの個々のレーンに留まることができ、ペグ46は、トレイ102をベルト132の両側からそらすように配置することができる。二重レーン重量選別機の転向が、図19の単一レーン転向可能重量選別機143と比較される。単一レーン重量選別機では、スラット144は横方向に移動できない。トレイ102が、計量ゾーン43内で計量された後、トレイ102は、ペグ46をベルトを横切って誘導し、トレイを排出コンベヤ142上に押し出す、転向スイッチ50によって、選択的に転向される。
【００１７】
図19の単一ライン転向可能重量選別機を使用する簡単なリパック適用が、図20に示されている。積載されたトレイ102が、送り込みされるコンベヤ146上の単一のある列で受け取られ、トレイは、連続するトレイ間のギャップを牽引するため、高速化される。別々の複数のトレイ102が、図18に関連して説明したように動作する転向可能重量選別機143に、移送される。リジェクトコンベヤ147にある、はずされリジェクトされたトレイ102'は、計量が正しくなるまで、製品を追加または除去するオペレータによって、はかり148で手動で計量される。計量が正しくなると、オペレータはトレイを再び包装し、排除されなかった全てのトレイ102を備えた排出コンベヤ150に手動で置く。排出コンベヤ150から、トレイ102はシーラ領域に送られる。
【００１８】
転向可能重量選別機の別の部分である出口端部が、図21に示されている。コンベヤベルト152は、図18のモジュール130と同様にモジュールベースからなる一連のベルトモジュール154から構成されている。唯一の違いは、このバージョンのベルトモジュールは、スロットのないスラット156を有し、ペグを有しないことである。トレイ102は、スラット156のうえに置かれる。トレイは、運搬路内の転向スイッチ158によって、ベルト152の片方から選択的に転向される。転向スイッチ158は、図22に示すように、スラットの上部計量プラットフォーム166から垂下する脚164の底部にカムフォロワ162を通過可能にするカム案内面160を有する。図21及び図23に示すように、トレイ102は、転向スイッチ158の上流の第1の長手方向ベルトレーン168内の計量はかり34によって計量される。スイッチ158は、トレイを支持するスラット156を転向しないことによって、仕様内にあるトレイ120が第1のレーン168上に留まることを可能にする。他方、仕様外排除トレイ120'は、スイッチ158によって、第1のレーン168に平行な第2の長手方向レーン169に向けられる。このように、転向可能重量選別機は、計量されたトレイを計量レーン168と排除レーン169とに選択的に分ける。
【００１９】
図24A〜24Dは、図21の転向可能重量選別機の動作を順に示す。トレイ120は、送り込みコンベヤ172によって、重量選別機170の計量レーン168上に一列で供給される。スラット156の上のトレイは、計量ゾーン43で計量される。トレイ120'が、アンダーウェイト、またはオーバーウェイトの場合、リジェクトレーン169に、転向スラットを、転向スイッチ158により移される。コンベヤベルト152がベルト走行の方向42に前進し続けると、図24Bおよび24Cに示すように、仕様外トレイ120'の下のスラット158'は、計量レーン168から不合格レーン169に移行する。図24Dに示すように、排除レーン169の末端にある仕様外トレイ120'は、転向されたスラット158'から排除コンベヤ174に移送される。その間、仕様内トレイ120を担持するスラット156は、スイッチ158によってリジェクトレーンに転向されない。その代わりに、それらは計量レーン168を通過して排出コンベヤ176に至る。
【００２０】
図21のペグレススラットベルト152は、２重レーン重量選別機178を形成するために、図25の重量選別機において使用される。送り込みコンベヤ180から重量選別機178上に供給されたトレイ120は、第1のレーン182の搬送路に戻ったスラット156上に受け取られる。スラット156は、計量ゾーン43の長さに相応した連続したスラットのセットにグループ化される。1組おきのスラットが、転向スイッチ158によって、第1のレーン182から平行な第2のレーン183に転向される。各レーン182、183の下の計量はかりは、トレイ120が計量される計量ゾーン43を特定する。第2レーン183の計量ゾーン43の下流には、第2レーン158'が、第2レーン183のスラット156を第1レーン182に戻し、他のトレイと共に、スペック外れのトレイをコンベヤ186から排除し、スペック外トレイを排出コンベヤ188に選択的に転向するペッグまたはシュー選別機などの仕分けコンベヤベルト184にトレイを移送する。排除されたトレイ120'は、手動で再加工され、再計量され、排出コンベヤ188上に置かれる。
【００２１】
このように、本発明は、計量はかりとの接触による上昇位置と、そうでなければ下降位置との間で垂直方向に移動可能なスラットを有する、転向可能重量選別機が記載されている。また、横方向に静止したスラット及びコンベヤベルトの幅を横切って押すことができる横方向に転向可能なスラットも記載されている。横方向に静止したスラットおよび横方向に転向可能なスラットは押し出しペグを収容するスロットを有することができ、またはスロットレスかつペグレスであることができる。ほとんどの場合、ペグおよび転向可能なスラットは、下側ベルトリターン上のベース位置に戻すことができる。
【符号の説明】
【００２２】
30：重量選別機
32：コンベヤベルト，転向ベルト，エンドレスコンベヤベルト，ベルト
36：フレーム
38,39：シャフト
38：駆動シャフト
40：ベルトの駆動モータ，駆動モータ
42：ベルト進行方向，ベルト走行，ベルト走行方向
43：計量ゾーン
44：ベルトモジュール
45：ヒンジジョイント
46：ペグ，押し出しペグ，転向ペグ
48：スラット66の幅に沿って広がるスロット，スロット，ペグ用のスロット
50：転向スイッチ
52：コントローラ
54：ディスプレイ
56：計量機器要素を収容する下部筐体
58：計量プレート
60：脚
62：計量プレート58の２つの末端，入口傾斜路
63：平坦な外面
64：ベース
65：第1の側端
66：スラット
67：第2の側端
68：ベース64のスロット
69：エプロン80の底部にある水平タブ
70：トッププッシャー部分
72：カム従動子，ペグのカム
73：底部カム従動子
76：ちょうつがいエレメント
104：モジュール
106：ベース
108：スロット
109：リブ
110：脚
112：スラット
113：ベルト
114：スロット
116：脚110の狭い上部
118：細長く高い高さの狭い部分
120：トレイ，矢印
120'：トレイ，仕様外トレイ，仕様外排除トレイ，排除されたトレイ
122：ユニークな識別子
124：位置センサ，排除レーン
126：受入れレーン
128：スロット
130：モジュールベース
132：ベルト
134：スラット
136：入口端
138：スラットスイッチ位置
140：セット，スラット
141：セット，スラット
142：排出コンベヤ
143：転向可能重量選別機，単一レーン転向可能重量選別機
144：スラット
146：コンベヤ
147：リジェクトコンベヤ
150：排出コンベヤ
152：コンベヤベルト，ベルト，ペグレススラットベルト
154：ベルトモジュール
156：スラット
158：スイッチ，転向スイッチ
158'：スラット，第2レーン
160：カム案内面
162：カムフォロワ
164：脚
166：上部計量プラットフォーム
168：長手方向ベルトレーン，計量レーン，レーン
169：長手方向レーン，排除レーン，不合格レーン，リジェクトレーン
170：重量選別機
172：送り込みコンベヤ
174：排除コンベヤ
176：排出コンベヤ
178：重量選別機，２重レーン重量選別機
180：送り込みコンベヤ
182：レーン，第1レーン
183：第2レーン，レーン
184：仕分けコンベヤベルト
186：コンベヤ
188：排出コンベヤ
【図１】
0006762354.tif 000002
【図２】
0006762354.tif 000003
【図３】
0006762354.tif 000004
【図４】
0006762354.tif 000005
【図５】
0006762354.tif 000006
【図６】
0006762354.tif 000007
【図７】
0006762354.tif 000008
【図８】
0006762354.tif 000009
【図９】
0006762354.tif 000010
【図１０】
0006762354.tif 000011
【図１１】
0006762354.tif 000012
【図１２】
0006762354.tif 000013
【図１３】
0006762354.tif 000014
【図１４】
0006762354.tif 000015
【図１５】
0006762354.tif 000016
【図１６】
0006762354.tif 000017
【図１７】
0006762354.tif 000018
【図１８】
0006762354.tif 000019
【図１９】
0006762354.tif 000020
【図２０】
0006762354.tif 000021
【図２１】
0006762354.tif 000022
【図２２】
0006762354.tif 000023
【図２３】
0006762354.tif 000024
【図２４】
0006762354.tif 000025
【図２５】
0006762354.tif 000026